(57)【要約】【課題】本発明は、ユーザが回転する送り出し部材に接触することで生じる不具合の発生を低減する記録材処理装置を提供することを目的とする。【解決手段】本発明の記録材処理装置は、用紙が積載される積載面と、回転し用紙を積載面に送り出す送り胴内排出ロールとを有し、胴内排出ロールが送り出す用紙が収容される記録材収容部と、少なくとも一方向から記録材収容部を覆うとともに、記録材収容部に対して開閉可能に設けられるカバー部材と、記録材収容部に対して覆い部材を固定するとともに、胴内排出ロールによる用紙の送り出しが終了し送り出し部材の回転の停止に応じて固定を解除するカバーロック部とを含む。【選択図】図５
2012098531.tif 000002
【特許請求の範囲】
【請求項１】
記録材が積載される積載面と、回転し記録材を当該積載面に送り出す送り出し部材とを有し、当該送り出し部材が送り出す記録材が収容される記録材収容部と、
少なくとも一方向から前記記録材収容部を覆うとともに、当該記録材収容部に対して開閉可能に設けられる覆い部材と、
前記記録材収容部に対して前記覆い部材を固定するとともに、前記送り出し部材による記録材の送り出しが終了し当該送り出し部材の回転の停止に応じて固定を解除する固定解除機構と
を含む記録材処理装置。
【請求項２】
前記固定解除機構は、前記送り出し部材が回転を開始する前に前記覆い部材を固定することを特徴とする請求項１記載の記録材処理装置。
【請求項３】
前記固定解除機構は、前記送り出し部材が複数の記録材を送り出す場合には、前記送り出し部材による最後の記録材の送り出しが終了し当該送り出し部材の回転が停止した後に固定を解除することを特徴とする請求項１または２記載の記録材処理装置。
【請求項４】
原稿上の画像を読み取って画像データを生成する画像読取部と、
前記画像読取部の下方に設けられ、記録材に対し予め定められた処理を施す記録材処理部と、
前記記録材処理部による処理が行われた記録材が積載される積載面と、回転し当該記録材処理部から搬送されてきた記録材を当該積載面に送り出す送り出し部材と、当該送り出し部材により送り出された記録材がユーザによって取り出される取り出し口とを有し、前記画像読取部の下方であって当該記録材処理部の上方あるいは側方に設けられかつ当該記録材処理部による処理が行われた記録材が収容される記録材収容部と、
少なくとも一方向から前記記録材収容部の前記取り出し口を覆うとともに、当該記録材収容部に対して開閉可能に設けられる覆い部材と、
前記記録材収容部に対して前記覆い部材を固定するとともに、前記送り出し部材による記録材の送り出しが終了し当該送り出し部材の回転の停止に応じて固定を解除する固定解除機構と
を含む記録材処理装置。
【発明の詳細な説明】
【技術分野】
【０００１】
本発明は、記録材処理装置に関する。
【背景技術】
【０００２】
従来技術として、軽度障害を持つオペレータの安全性を確保することが可能な画像形成装置の提供を目的として、給紙又は排紙をするための開口部と、この開口部に設けられ、給紙又は排紙をするための給紙手段又は排紙手段と、この給紙手段又は排紙手段を遮蔽する遮蔽カバーと、この遮蔽カバーの開閉を行う遮蔽カバー制御手段とを有する画像形成装置が知られている（特許文献１参照）。
【先行技術文献】
【特許文献】
【０００３】
【特許文献１】特開２００５−７５５６５号公報
【発明の概要】
【発明が解決しようとする課題】
【０００４】
本発明は、回転する送り出し部材に対するユーザの接触を抑止する記録材処理装置を提供することを目的とする。
【課題を解決するための手段】
【０００５】
請求項１記載の発明は、記録材が積載される積載面と、回転し記録材を当該積載面に送り出す送り出し部材とを有し、当該送り出し部材が送り出す記録材が収容される記録材収容部と、少なくとも一方向から前記記録材収容部を覆うとともに、当該記録材収容部に対して開閉可能に設けられる覆い部材と、前記記録材収容部に対して前記覆い部材を固定するとともに、前記送り出し部材による記録材の送り出しが終了し当該送り出し部材の回転の停止に応じて固定を解除する固定解除機構とを含む記録材処理装置である。
請求項２記載の発明は、前記固定解除機構は、前記送り出し部材が回転を開始する前に前記覆い部材を固定することを特徴とする請求項１記載の記録材処理装置である。
請求項３記載の発明は、前記固定解除機構は、前記送り出し部材が複数の記録材を送り出す場合には、前記送り出し部材による最後の記録材の送り出しが終了し当該送り出し部材の回転が停止した後に固定を解除することを特徴とする請求項１または２記載の記録材処理装置である。
請求項４記載の発明は、原稿上の画像を読み取って画像データを生成する画像読取部と、前記画像読取部の下方に設けられ、記録材に対し予め定められた処理を施す記録材処理部と、前記記録材処理部による処理が行われた記録材が積載される積載面と、回転し当該記録材処理部から搬送されてきた記録材を当該積載面に送り出す送り出し部材と、当該送り出し部材により送り出された記録材がユーザによって取り出される取り出し口とを有し、前記画像読取部の下方であって当該記録材処理部の上方あるいは側方に設けられかつ当該記録材処理部による処理が行われた記録材が収容される記録材収容部と、少なくとも一方向から前記記録材収容部の前記取り出し口を覆うとともに、当該記録材収容部に対して開閉可能に設けられる覆い部材と、前記記録材収容部に対して前記覆い部材を固定するとともに、前記送り出し部材による記録材の送り出しが終了し当該送り出し部材の回転の停止に応じて固定を解除する固定解除機構とを含む記録材処理装置である。
【発明の効果】
【０００６】
請求項１記載の発明によれば、本構成を有しない場合に比較して、回転する送り出し部材に対するユーザの接触を抑止する記録材処理装置を提供することができる。
請求項２記載の発明によれば、本構成を有しない場合に比較して、回転する送り出し部材に対するユーザの接触をより抑止することができる。
請求項３記載の発明によれば、本構成を有しない場合に比較して、複数の記録材を処理する際に、回転する送り出し部材に対するユーザの接触を抑止することができる。
請求項４記載の発明によれば、本構成を有しない場合に比較して、回転する送り出し部材に対するユーザの接触を抑止する記録材処理装置を提供することができる。
【図面の簡単な説明】
【０００７】
【図１】本実施の形態が適用される画像形成装置を示す概略構成図である。
【図２】本実施の形態が適用される胴内排出ロールの駆動系を説明する説明図である。
【図３】本実施の形態が適用される画像形成装置を示す斜視図である。
【図４】本実施の形態が適用されるカバーロック部の説明図である。
【図５】胴内排出ロールとカバーロック部との関係を示すタイミングチャートである。
【発明を実施するための形態】
【０００８】
以下、添付図面を参照して、本発明の実施の形態について詳細に説明する。
＜画像形成装置１００＞
図１は、本実施の形態が適用される画像形成装置１００を示す概略構成図である。図１に示す画像形成装置１００は、所謂タンデム型のカラープリンタである。この画像形成装置１００は、各色の画像データに対応して画像形成を行う画像形成部１０（記録材処理部）と、画像形成装置１００全体の動作を制御する制御部２０とを備えている。また、画像形成装置１００は、画像形成装置１００の上方側に設けられ、原稿の画像を読み取るスキャナにより構成される画像読取装置３０（画像読取部）を備えている。さらに、画像形成装置１００は、画像形成部１０に用紙Ｓを供給する用紙供給部４０を備えている。
【０００９】
ここで、画像形成装置１００の各構成部材は、筺体５０の内部に収容されている。また、画像読取装置３０の下方であって筺体５０の上部の面には、画像形成部１０によって画像が形成された用紙Ｓが積載される積載面をもつ胴内積載部６０が設けられている。さらに画像形成装置１００は、開閉可能に設けられ胴内積載部６０と画像読取装置３０との間に形成される記録材収容部の一例である空間の前面（操作面側、画像形成装置１００のフロント側）を覆うカバー部材８０が設けられている。また、画像形成装置１００は、カバー部材８０を閉じられた状態でロック（固定）するカバーロック部７０を有するとともに、閉じられたカバー部材８０と対向する位置にカバー部材８０が閉じられていることを検知するカバーセンサ（図示せず）を有する。
【００１０】
＜画像形成部１０＞
画像形成部１０には、一定の間隔をおいて並列的に配置される４つの画像形成ユニット１Ｙ，１Ｍ，１Ｃ，１Ｋが備えられている。各画像形成ユニット１Ｙ，１Ｍ，１Ｃ，１Ｋは、静電潜像を形成してトナー像を保持する感光体ドラム１２を備えており、いわゆる電子写真方式によってトナー像を形成する。ここで、各画像形成ユニット１Ｙ，１Ｍ，１Ｃ，１Ｋは、現像装置に収納されるトナーを除いて、同様に構成される。そして、各画像形成ユニット１Ｙ，１Ｍ，１Ｃ，１Ｋは、それぞれがイエロー（Ｙ）、マゼンタ（Ｍ）、シアン（Ｃ）、黒（Ｋ）のトナー像を形成する。このようなことから、以下の説明においては、画像形成ユニット１Ｙ、１Ｍ、１Ｃ、１Ｋの各構成についてはそれぞれ「Ｙ」、「Ｍ」、「Ｃ」、「Ｋ」という符号を付して区別するが、区別する必要のないときは、これらの符号は付さない。
【００１１】
また、画像形成部１０は、各画像形成ユニット１の感光体ドラム１２上に形成された各色トナー像が転写される中間転写ベルト１３を備えている。また、画像形成部１０は、各画像形成ユニット１にて形成された各色トナー像を中間転写ベルト１３に順次転写（一次転写）する一次転写ロール１７を備えている。さらに、画像形成部１０は、中間転写ベルト１３上に重畳して形成された各色トナー像を記録材（記録紙）である用紙Ｓに一括転写（二次転写）する二次転写部１９と、二次転写された各色トナー像を用紙Ｓに定着させる定着装置２１とを備えている。
さらにまた、画像形成部１０は、定着装置２１によってトナー像が定着された用紙Ｓの通過を検知するエグジットセンサ２２を備える。さらにまた、このエグジットセンサ２２を通過した用紙Ｓを胴内積載部６０に排出する胴内排出ロール２３を備える。
【００１２】
用紙供給部４０は、用紙収容部４１と、繰り出しロール４３と、捌きロール４５と、レジロール４７とを備える。用紙収容部４１は、用紙Ｓを収容する。繰り出しロール４３は、用紙収容部４１の上部に配設され、用紙収容部４１に収容される用紙Ｓの束のうち、最上位の用紙Ｓを繰り出す。捌きロール４５は、繰り出しロール４３にて繰り出された用紙Ｓを１枚ずつに捌いて搬送する。また、レジロール４７は、捌きロール４５によって捌いて搬送された用紙Ｓを一旦停止させ、タイミングを合わせて回転を再開することにより二次転写部１９に対して用紙Ｓを供給する。
【００１３】
＜胴内排出ロール２３＞
次に、図１及び図２を参照しながら、胴内排出ロール２３について説明をする。ここで、図２は、本実施の形態が適用される胴内排出ロール２３の駆動系を説明する説明図である。
まず、図２に示すように、胴内排出ロール２３は、駆動源であるモータＭからの駆動を受ける駆動ロール２３ａと、この駆動ロール２３ａに従動しかつ駆動ロール２３ａとの間にニップ部を形成する従動ロール２３ｂとを有する。なお、この駆動ロール２３ａと従動ロール２３ｂとは、筺体５０の胴内積載部６０が設けられる側の側面である筺体側面５０ａ（図３参照）に露出した状態で設けられている。
【００１４】
また、本実施の形態では、駆動ロール２３ａと同軸で設けられ、駆動ロール２３ａの駆動力を受ける駆動歯車２３ｃが設けられている。さらに、モータＭからの駆動力を駆動歯車２３ｃに伝達する歯車Ｇ１、Ｇ２が設けられている。また、モータＭと駆動歯車２３ｃとの間に電磁クラッチ２５が設けられている。この電磁クラッチ２５をオンまたはオフすることで、モータＭから胴内排出ロール２３への駆動力の伝達を遮断される。なお、モータＭの駆動力は、画像形成装置１００の他の部材や他の機構（中間転写ベルト１３や二次転写部１９等）にも不図示のギアを介して伝達される。付言すると、本実施の形態では、モータＭの共有化が図られる。なお、本実施の形態では、このようにモータＭを共有しているが、駆動ロール２３ａを回転させる専用のモータを設けてもよい。
【００１５】
＜カバー部材８０＞
次に、図１及び図３を参照しながら、カバー部材８０について説明をする。ここで、図３は、本実施の形態が適用される画像形成装置１００を示す斜視図である。
まず、覆い部材の一例であるカバー部材８０は、図３に示すように、画像形成装置１００の前面（操作面側）に開閉可能に設けられている（矢印Ａ参照）。ここで本実施の形態では、胴内積載部６０と画像読取装置３０との間であって、画像形成装置１００の前面側に、画像が形成された用紙Ｓが取り出される取り出し開口５３が形成されている。本実施の形態におけるカバー部材８０は、この取り出し開口５３（取り出し口）を覆うように設けられている。
【００１６】
ここで、カバー部材８０が閉じられている状態においては、胴内積載部６０上に排出された用紙Ｓが取り出し開口５３から取り出されることや、胴内積載部６０側に露出する胴内排出ロール２３にユーザの体の一部やペン等の異物が接触することを制限する。なお、上記では説明を省略したが、カバー部材８０は、板状の部分であるカバー面８０ａと、カバー面８０ａの一方の端部（下端部）に設けられたヒンジ８１と、ヒンジ８１が設けられた一方の端部とは反対側の端部に設けられ画像形成装置１００の本体部側によりその移動が規制される被拘束部８５とを有する。
【００１７】
カバー面８０ａは、カバー部材８０が閉じられた状態において、画像読取装置３０の下部から胴内積載部６０の下方までを覆う寸法で構成されている。
カバー部材のヒンジ８１は、図３に示すように、閉じられた状態のカバー部材８０（図３の破線参照）の下側の端部に設けられるとともに、胴内積載部６０の下方において筺体５０に固定されている。
被拘束部８５は、カバー部材８０が閉じられた状態にて、胴内積載部６０が設けられる筺体側面５０ａに対向配置される。本実施の形態における被拘束部８５は、カバー面８０ａと連続した状態で形成されている。また、被拘束部８５は、筺体側面５０ａに向けて開口する開口８７（詳細は後述）を有する。
【００１８】
＜カバーロック部７０＞
次に、図３及び図４を参照しながら、カバーロック部７０について説明をする。ここで、図４（Ａ）はカバーロック部７０周辺の斜視図であり、図４（Ｂ）は図４（Ａ）のＩ面におけるカバーロック部７０の断面図である。詳細には、（Ｂ−１）はカバーロック部７０によるロックが解除されている状態を示し、（Ｂ−２）はカバーロック部７０によってロックされている状態を示す。
【００１９】
固定解除機構の一例であるカバーロック部７０は、カバー部材８０が閉じられた状態で、カバー部材８０の被拘束部８５と対向する位置に設けられる。図３においては、カバーロック部７０は取り出し開口５３の左上（図３の楕円内）に配置される。
またカバーロック部７０は、図４（Ａ）、（Ｂ）に示すように、被拘束部８５を拘束するロックピン７１と、このロックピン７１と接続されロックピン７１を移動させるソレノイド７５と、ロックピン７１とソレノイド７５との間に設けられロックピン７１を元の位置（図４の（Ｂ−１）の位置）に戻す戻しばね７３とを有する。
【００２０】
ここで、ロックピン７１は、同図（Ｂ−１）、（Ｂ−２）に示すように、屈曲部７１ｃを有するＬ字状の部材であり、被拘束部８５に対して進退可能に設けられる(矢印Ｂ及びＣ参照)。このロックピン７１は、屈曲部７１ｃから被拘束部８５に向けて延びる主部７１１と、屈曲部７１ｃにて主部７１１に接続され主部７１１と交差する方向（直交する方向）に延びる副部７１２とを有する。そして、ロックピン７１の主部７１１は筺体側面５０ａを貫通して設けられている。
ソレノイド７５は、ロックピン７１の副部７１２の端部７１ａ（主部７１１に接続された端部とは反対側に位置する端部）に固定して接続されている。ソレノイド７５は、この副部７１２側の端部７１ａを被拘束部８５に対して進退させる(矢印Ｂ及びＣ参照)。なお、戻しばね７３は、この端部７１ａとソレノイド７５との間に設けられている。
【００２１】
図４の（Ｂ−１）及び（Ｂ−２）を参照しカバーロック部７０の動作を説明する。
まず、図４の（Ｂ−１）に示されるように、カバーロック部７０によるロックが解除されている状態においては、ロックピン７１の主部７１１側の端部７１ｂが、筺体側面５０ａに接近した位置Ｐａに配置されている。ここで、ロックピン７１の端部７１ｂが位置Ｐａに配置されている状態においては、ロックピン７１は、被拘束部８５の開口８７に進入していない。したがって、被拘束部８５がロックピン７１によって移動が制限されないことからカバー部材８０を開放することが可能である。
【００２２】
そして、ソレノイド７５が駆動しロックピン７１の副部７１２側の端部７１ａが矢印Ｂ方向に移動すると、ロックピン７１の主部７１１が筺体側面５０ａからさらに突出し、筺体側面５０ａより離れた位置Ｐｂへと移動する。そして、図４（Ｂ−２）に示されるように、ロックピン７１が位置Ｐｂに配置されることにより、カバーロック部７０によってカバー部材８０がロックされ、カバー部材８０は閉じられた状態で固定される。具体的には、ロックピン７１の端部７１ｂが被拘束部８５の開口８７に進入しており、被拘束部８５の移動経路上にロックピン７１が位置する状態となる。これにより、被拘束部８５はロックピン７１によって移動が制限され、カバー部材８０の開放が制限される。なお、ロックピン７１が位置Ｐｂへと移動する際、戻しばね７３は圧縮される。
【００２３】
一方で、カバーロック部７０によるカバー部材８０のロックを解除する（ロックを外す）場合には、上述の動作とは反対の動作が行われる。具体的に説明すると、オン状態とされていたソレノイド７５がオフ状態とされる。これにより戻しばね７３が伸長する。そしてこの伸長によって、ロックピン７１が矢印Ｃ方向に押圧され、被拘束部８５から離れる方向にロックピン７１が移動する。これにより、被拘束部８５の移動経路上からはずれた位置Ｐａにロックピン７１が位置するようになる。そしてこの状態になると、カバー部材８０の開放が可能となる。
【００２４】
＜画像形成装置１００の動作＞
ここで、画像形成装置１００の動作について説明をする。
【００２５】
画像形成装置１００が画像形成動作を開始すると、画像読取装置３０等から入力された画像データは、予め定められた画像処理が施された後、各画像形成ユニット１に送られる。そして、例えば黒（Ｋ）色トナー像を形成する画像形成ユニット１Ｋでは、感光体ドラム１２が回転しながら、予め定められた電位で一様に帯電された後に走査露光される。それにより、感光体ドラム１２上には、黒（Ｋ）色画像に関する静電潜像が形成される。そして、感光体ドラム１２上に形成された静電潜像は現像され、感光体ドラム１２上には黒（Ｋ）トナー像が形成される。同様に、画像形成ユニット１Ｙ，１Ｍ，１Ｃにおいても、それぞれイエロー（Ｙ）、マゼンタ（Ｍ）、シアン（Ｃ）の各色のトナー像が形成される。
【００２６】
各画像形成ユニット１で形成された各色のトナー像は、回転駆動される中間転写ベルト１３上に、一次転写ロール１７により順次静電吸引される。これにより中間転写ベルト１３には各色トナーが重畳された重畳トナー像が形成される。そして、中間転写ベルト１３上の重畳トナー像は、中間転写ベルト１３の移動に伴って二次転写部１９に搬送される。
一方で、用紙収容部４１に積載された用紙Ｓは、繰り出しロール４３によって繰り出され、捌きロール４５によって捌かれて搬送される。さらに、捌かれた用紙Ｓはレジロール４７によって二次転写部１９へと供給される。
そして、重畳トナー像は、二次転写部１９が形成する転写電界の作用により、レジロール４７を経て供給される用紙Ｓ上に一括して静電転写される。
【００２７】
その後、重畳トナー像が静電転写された用紙Ｓは、中間転写ベルト１３から剥離され、定着装置２１まで搬送される。定着装置２１に搬送された用紙Ｓ上のトナー像は、定着装置２１によって熱及び圧力による定着処理を受けて用紙Ｓ上に定着される。そして、定着画像が形成された用紙Ｓは、エグジットセンサ２２によって検知された後、胴内排出ロール２３によって胴内積載部６０に排出され積載される。このようにして、画像形成装置１００での画像形成がプリント枚数分のサイクルだけ繰り返される。
【００２８】
ここで、図５（胴内排出ロール２３とカバーロック部７０との関係を示すタイミングチャートを示した図）の中段に示すように、用紙収容部４１に積載された用紙Ｓが搬送され、画像を形成された後に胴内積載部６０へ排出される過程においては、用紙Ｓは、レジロール４７、二次転写部１９、定着装置２１、エグジットセンサ２２、及び胴内排出ロール２３を順に通過していく。
【００２９】
さて、図５の上段に示すように、用紙Ｓの搬送方向における後端が胴内排出ロール２３を通過した後に、胴内排出ロール２３は回転を停止する。この胴内排出ロール２３は、用紙Ｓの搬送方向後端が胴内排出ロール２３を通過した後、図５の矢印Ｅに示すように、予め定められた時間、回転を継続する。このように、胴内排出ロール２３の回転を継続させた場合、用紙Ｓの搬送方向における後端が胴内排出ロール２３（あるいは胴内排出ロール２３周辺の部材）に引っかかった状態となることが抑制される。付言すると、胴内積載部６０に用紙Ｓが完全に落ちきらずに、用紙Ｓの後端が胴内排出ロール２３に引っかかる事態の発生が抑制される。
なお、本実施の形態においては、画像が形成された用紙Ｓの搬送方向における後端がエグジットセンサ２２を通過してからの時間によって、胴内排出ロール２３の回転を制御している。付言すれば、用紙Ｓの搬送方向における後端がエグジットセンサ２２を通過した後、用紙Ｓがエグジットセンサ２２から胴内搬出ロール２３まで搬送されるのに要する時間と矢印Ｅで示す時間とを加えた時間（矢印Ｆ参照）、胴内排出ロール２３の回転を継続させる。
【００３０】
そして、図５の下段に示すように、胴内排出ロール２３が回転を停止した後に、カバーロック部７０によるカバー部材８０のロックが解除される。より具体的には、ロックピン７１が位置Ｐｂから位置Ｐａに移動（図４の矢印Ｃ参照）し、ロックピン７１が被拘束部８５の開口８７の外に配置される。これにより、カバー部材８０の開放が可能となり、画像が形成され胴内積載部６０に積載された用紙Ｓの取り出しが可能となる。
本実施の形態においては、胴内排出ロール２３が回転を停止した後にカバー部材８０のロックが解除されることから、回転する胴内排出ロール２３にユーザが触れることが抑制される。
【００３１】
なお、画像形成装置１００が複数の用紙Ｓに画像を形成する場合は、最後の用紙Ｓの搬送方向における後端が胴内排出ロール２３を通過した後に、胴内排出ロール２３の回転を停止する。その後に、カバーロック部７０によるカバー部材８０のロックが解除される。
【００３２】
さて、本実施の形態においては、図５の下段に示すように、胴内排出ロール２３が回転を停止した後に、中間転写ベルト１３が停止する。
そして、本実施の形態においては、カバーロック部７０は、胴内排出ロール２３が回転を停止した後であって、かつ中間転写ベルト１３が停止した後に、カバーロック部７０によるカバー部材８０のロックが解除される。このことにより、中間転写ベルト１３が作動していることによる影響により、仮に胴内排出ロール２３が回転した場合であっても、この胴内排出ロール２３とユーザとが接触することが抑制される。付言すれば、中間転写ベルト１３等の画像形成装置１００の他の部材や機構が停止した後にカバーロック部７０のロックを解除することにより、回転する胴内排出ロール２３とユーザとの接触することがより抑制される。
【００３３】
＜他の態様＞
上述の実施形態においては、記録材処理装置の例として画像形成装置１００を用いて説明したが、これに限定されない。記録材処理装置としては、例えば後処理装置や用紙積載装置等であってもよい。後処理装置としては、ステープル針を用いて（あるいは用いることなく）記録材に対する綴じ処理を行う綴じ処理装置、パンチ穴をあけるパンチャ、折り筋を付ける折り筋装置等を有する構成がある。用紙積載装置としては、用紙を複数の積載部に仕分けられる機構を有する構成がある。
【００３４】
また、上述の実施形態においては、胴内排出ロール２３の駆動を電磁クラッチ２５を用いて遮断する構成を用いて説明したがこれに限定されない。例えば、胴内排出ロール２３が駆動源であるモータＭに単独で接続され、胴内排出ロール２３を任意のタイミングで回転あるいは停止させる構成であってもよい。
【００３５】
さらに、上述の実施形態においては、カバー部材８０を画像形成装置１００の前面（操作面側）に設ける構成を用いて説明したが、これに限定されない。例えば、画像形成装置１００の側面に設けてもよい。図１を用いて例示すると、胴内積載部６０と画像読取装置３０との間に形成される空間の図１中の右側面に設けてもよい。
さらに、画像形成装置１００の前面（操作面側）と画像形成装置１００の側面との両面にそれぞれカバー部材８０を設けるよう構成してもよい。
【符号の説明】
【００３６】
１Ｙ，１Ｍ，１Ｃ，１Ｋ…画像形成ユニット、１９…二次転写部、２１…定着装置、２３…胴内排出ロール、５０…筺体、６０…胴内積載部、７０…カバーロック部、７１…ロックピン、７３…戻しばね、７５…ソレノイド、８０…カバー部材、８５…被拘束部、８７…開口、１００…画像形成装置、Ｓ…用紙
【図１】
2012098531.tif 000003
【図２】
2012098531.tif 000004
【図３】
2012098531.tif 000005
【図４】
2012098531.tif 000006
【図５】
2012098531.tif 000007